(57)【要約】      （修正有）【課題】走行運動時における口、鼻からの激しい呼吸に対応し、鼻水発生を減少させるジョギングファッションマスクを提供する。【解決手段】直接口呼吸できるように口唇部を開放し、デザインバランスを考慮した縦短く、横長い形状の不職布生地からなるマスク本体と、前記マスク本体の裏側に鼻腔部から上唇部までを蛇腹折りに形成する不職布を重ね合わせ、蛇腹の開き具合で鼻呼吸を調整可能とし、更に不職布の二重化構造で繊維密度が濃くなることにより、鼻部分が保温され鼻水の発生を減少させる。そして、マスク正面をイメージデザインと手創りコメントシールを貼れるスペース３を固定配置した図案とするファッション性と多数の顔面発汗の放出用小穴４を穿つ機能性を組み合わせたジョギングファッションマスクとする。【選択図】図１
0003175757.tif 000002
【実用新案登録請求の範囲】
【請求項１】
直接口呼吸できるように口唇部を開放し、デザインバランスを考慮した縦短く、横長い掲示用の不職布生地からなるマスク本体と、前記マスク本体の裏側に鼻腔部から上唇部までを蛇腹折りに形成する不職布を重ね合わせ、蛇腹の開き具合で鼻呼吸が調整できるジョギングファッションマスク。
【請求項２】
前記マスク本体の正面を、イメージデザインと手創りのコメントシールを貼るスペースを固定配置した図案とし、多数の顔面発汗放出用小穴を穿つジョギングファッションマスク。
【考案の詳細な説明】
【技術分野】
【０００１】
本考案はマスクを着用してランニング中の息苦しさからの開放と鼻水発生を減少させるジョギングファションに関する。
【背景技術】
【０００２】
一般に市販されているマスクは、基本的に口や鼻を覆い、マスク生地を通して呼吸する方式である。風邪の感染遮断や非感染予防としては効果があるが、激しい呼吸が必要とする走行運動のコンセプトとは全く異なるものである。しかし、これまでのマスクは概ね風邪、花粉症、そして走行運動のすべての満足度向上を訴求するため、走行運動においてもマスクを通して呼吸の工夫、改善に止まっている。
【考案の概要】
【考案が解決しようとする課題】
【０００３】
ジョギングの呼吸の仕方は、鼻から吸って口から吐くのが推奨であるが、走り疲れてくると呼吸法に気を使っていられなくなり、口で呼吸してしまうのが現実なので、容易に鼻呼吸と口呼吸の併用できるマスクが求められる。しかしながら市販されているマスクは走り始めの鼻呼吸には十分受容可能であるが激しい鼻呼吸や口呼吸では難しい。特に口呼吸に対応するには口唇部を開放するに限るが、口唇部開放型のマスクとなると、従来のマスクに比べ形状が悪いイメージなので製品化しょうとする提案者が出現していない。
【０００４】
また、風邪や花粉症から発生する鼻水対策は病原菌遮断と体力回復が対策である。しかし、健康体の鼻水発生となるとそのメカニズムは多少異なり、直接外気からの鼻触感温度や体感温度が影響するものである。特に生来鼻の敏感な人や花粉症から鼻過敏になった人は影響を受けやすいため、鼻水対策としては如何にして鼻を温めるかという鼻腔部の保温が必要である。
【課題を解決するための手段】
【０００５】
本考案は直接口呼吸できるように口唇部を開放し、デザインバランスを考慮した縦短く、横長い形状の不職布生地からなるマスク本体と、前記マスク本体の裏側に鼻腔部から上唇部までを蛇腹折りに形成する不織布を重ね合わせ、蛇腹の開き具合で鼻呼吸を調整可能とし、更に不織布の一部二重化構造で繊維密度が濃くなることにより、鼻部分が保温され鼻水の発生を減少させることが主要な特徴である。そして、マスク正面をイメージデザインと手創りコメントシールを貼れるスペースを固定配置した図案とするファッション性と多数の顔面発汗の放出用小穴を穿つ機能性を組み合わせたジョギングファッションマスクとすることにより上記の課題を解決したものである。
【考案の効果】
【０００６】
本考案に係るジョギングマスクはきわめてスムーズに呼吸できるメリットのほか、鼻腔部を保温する影響で、鼻水の量が少なくかつ回数も減少する。そして、体感温度の上昇によって鼻水が停止するというパターンにより機能向上させるが、こればかりではなく不織布の生地が一部二重化縫製のため繊維密度が濃くなり花粉症にも有効となる。また、これまでのマスクイメージである「鼻、口、頬の包囲三点セット」「白」「病気」から「斬新なデザイン」「オリジナル」「お洒落」「カラフル」「健康」をキィワードとする新感覚製品へと変身させるものである。
【図面の簡単な説明】
【０００７】
【図１】本考案に係るマスクの正面図である。
【図２】本考案に係るマスク裏面の生地重ね合わせ縫製部の説明図である。
【図３】本考案に係るマスクの使用状態の側面一部透視図である。
【図４】本考案に係るマスクの使用状態の角度３０度正面図である。
【図５】本考案に係るマスク正面のアプリケーション例である。
【考案を実施するための形態】
【０００８】
本考案は、口呼吸は口唇部開放型なので直接呼吸ができ、鼻呼吸は空気抜け隙間設計による直接呼吸とマスク本体を介しての間接呼吸の直感併用なので、至って快適な走行運動ができる。また、ウォーキングにおいても従来のマスクと本考案のマスクとの使用比較した場合、本考案のマスクの方がその呼吸の楽さ加減が顕著に現れるので、利用者層の拡大が図れる。
【実施例】
【０００９】
以下、図１から図５まで用いて本考案の実施形態を説明する。図１に示すマスク本体の構成は、素材が呼吸しやすく、安価なポリプロプレンとポリエチレンの不織布を使用し、マスク本体の上部には眼鏡への空気漏れを抑え曇り止めのノーズフィッターを配し、更に左右にポリウレタン樹脂でなる耳かけ用紐でなる部分を熱処理により縫製するものである。
【００１０】
図２の鼻腔部スペース７はマスク本体裏側の不織布を重ね合わせする部分で、マスク本体との縫合でマスクを立体化する。その縫製方法は台形状の左右縫製部７ａ、７ｂと、その縫製部最上段の左右始点から更に左右下方へ序々に末広がりにずらした線上を位置とするマスク本体縫製部９ａ、９ｂをあわせ熱処理で縫合することにより、鼻腔部の下部は空気抜けの隙間ができるほか、鼻腔帯状部１０の蛇腹折り形成の蛇腹の開き具合で鼻呼吸を調整することができる。
【００１１】
ジョギング時の鼻水発生の量や回数は外気、本人の鼻触感、体調によって十人十色なので、鼻水発生の症状が厳しい人への対処としては、図３、図４に示すマスク本体の裏側の重ね合わせした鼻腔帯状部１０の蛇腹折り部分を開くことで外気侵入を防止し、また、不織布の一部二重化構造により保温効果も高めて鼻水を減少させる。
【００１２】
マスク本体の正面は、これまでの常識を覆すファションデザインとするため、面上に蛇腹やギャザー等凹凸を極力避けるステージとするものである。そのアプリケーション例としては図5に示すように、基本デザインが「草原をイメージした線画」とその中に個々人のオリジナリ性を活かすための手創りコメントシールを作製して貼付してもらう位置とスペースを固定的に確保した図案構成である。図5へ貼付しているこの手創りコメントシールは市販されている専用シールを購入し、同会社のホームページからシール作製ソフトをダウンロードしパソコン処理によって作製し貼付してものである。個々人のパーフォーマスンスシールとして活用できるので、世界でただ一つのジョギングファッションマスクとなる。更にデザインや表面の生地色もカラー化できるので、これでバライティーに富むジョギングファッションマスクを誕生させることができる。
【符号の説明】
【００１３】
１    マスク本体
２    ノースブリッジ
３    マスク本体正面鼻腔部分スペース
４    発汗放出用小穴
５    イメージデザインの図案例
６    手創りコメントシール貼付スペース
７    鼻腔部スペース（マスク本体裏側の不職布生地重ね合わせスペース）  
７ａ  鼻腔部左側縫製部
７ｂ  鼻腔部右側縫製部    
８    鼻腔部生地裁断図
９    マスク本体裏側スペース
９ａ  マスク本体裏側スペース左側縫製部
９ｂ  マスク本体裏側スペース右側縫製部
１０  鼻腔帯状部蛇腹折り部分）
１１  山折り
１２  谷折り
１３  マスク本体中央最下部輪郭図
１４  鼻腔部最下部輪郭図
１５  空間
１６  手創りコメントシール
【図１】
0003175757.tif 000003
【図２】
0003175757.tif 000004
【図３】
0003175757.tif 000005
【図４】
0003175757.tif 000006
【図５】
0003175757.tif 000007
【手続補正書】
【提出日】平成23年12月14日(2011.12.14)
【手続補正１】
【補正対象書類名】実用新案登録請求の範囲
【補正対象項目名】請求項１
【補正方法】変更
【補正の内容】
【請求項１】
直接口呼吸できるように口唇部を開放し、デザインバランスを考慮した縦短く、横長い形状の不織布生地からなるマスク本体と、前記マスク本体の裏側に鼻腔部から上唇部までを蛇腹折りに形成する不織布を重ね合わせ、蛇腹の開き具合で鼻呼吸が調整できるジョギングファッションマスク。
【手続補正２】
【補正対象書類名】明細書
【補正対象項目名】０００９
【補正方法】変更
【補正の内容】
【０００９】
以下、図１から図５まで用いて本考案の実施形態を説明する。図１に示すマスク本体の構成は、素材が呼吸しやすく、安価なポリプロプレンとポリエチレンの不織布を使用し、マスク本体の上部には眼鏡への空気漏れを抑える曇り止めのノーズフィッターを配し、更に左右にポリウレタン樹脂でなる耳かけ用紐の部分を熱処理により縫製するものである。
【手続補正書】
【提出日】平成24年2月28日(2012.2.28)
【手続補正１】
【補正対象書類名】実用新案登録請求の範囲
【補正対象項目名】請求項２
【補正方法】変更
【補正の内容】
【請求項２】
前記マスク本体の正面を、イメージデザインと手作りのコメントシールを貼るスペースを固定配置した図案とし、多数の顔面発汗放出用小穴を穿つ請求項１記載のジョギングファッションマスク。